(57)【要約】【課題】  機能部品が増加してもその増加によって生ずる諸問題に対応できるパネル体を構成することが可能な遊技機を提供すること。【解決手段】  機能毎に分割された複数のパネルを組み立てて一体化するようにしたパチンコ遊技機であって、扉枠を構成する扉枠本体１５を金属製の取り付けフレーム４に回動可能に装着する。取り付けフレーム４に対してはＬＥＤ基板を連結キャッチ５３，５５を使用して着脱可能に装着する。ＬＥＤ基板は扉枠本体１５の透孔を通して扉枠本体１５前面に配置されたカバーを照明する。【選択図】        図２９
2010201191.tif 000002
【特許請求の範囲】
【請求項１】
複数の機能部品を組み合わせて一枚のパネル体を構成し、複数の同パネル体を組み立て
て一体化するようにした遊技機において、
複数の機能部品を同じく機能部品としての金属製ベースに対して装着し、前記パネル体
を構成するようにしたことを特徴とする遊技機。
【発明の詳細な説明】
【技術分野】
【０００１】
本発明は、パチンコ遊技機やスロットマシン等のように個別の機能を備えた複数のパネ
ル体を組み立てて一体化し遊技者に所定の遊技を提供するようにした遊技機に関するもの
である。
【背景技術】
【０００２】
遊技機として従来から親しまれているパチンコ遊技機やスロットマシン等は異なる複数
のパネル体を組み合わせて製造するようになっている。例えばパチンコ遊技機に必要とさ
れるパネル体としては具体的に扉枠、遊技盤、遊技機本体、機構盤等が挙げられる。要は
これら遊技機では各パネル体毎に機能を分担させこれらを組み合わせることで結果的に遊
技機として機能し得るようにしているわけである。これらパネル体は一般に外枠をベース
として前後方向に重ね合わせながら組み立てられ一体化される。ここに各パネル体自体も
複数の機能部品を組み合わせて構成されている。そして、機能部品の組み合わせによって
パネル体として所定の機能を奏するように構成されている。
【０００３】
従来では付属的な機能部品、例えばＬＥＤ基板、中継基板、表示装置等はやはり機能部
品としてのプラスチック製ベースに装着され、更に必要な場合には補強のための金属製の
薄板状のフレームが固着されてパネル体が構成されるようになっている。
【発明の開示】
【発明が解決しようとする課題】
【０００４】
ところで、最近の遊技機では種々の機能を充実させる要請から上記プラスチック製ベー
スにより多くの機能部品を装着する傾向にある。するとプラスチック製ベースがそれら機
能部品の装着による重量や装着用の透孔を形成したりしなければならず、いきおいプラス
チック製ベースに十分な強度を保証できなくなってきている。また、同ベースに対する機
能部品の配置場所も十分確保できなくなってきている。
【０００５】
本発明は、このような従来の技術に存在する問題点に着目してなされたものである。そ
の目的とするところは、機能部品が増加してもその増加によって生ずる諸問題に対応でき
るパネル体を構成することが可能な遊技機を提供することにある。
【課題を解決するための手段】
【０００６】
上記の目的を達成するために、請求項１に記載の発明では、複数の機能部品を組み合わ
せて一枚のパネル体を構成し、複数の同パネル体を組み立てて一体化するようにした遊技
機において、複数の機能部品を同じく機能部品としての金属製ベースに対して装着し、前
記パネル体を構成するようにしたことをその要旨とする。
【０００７】
請求項１の発明のような構成では、機能部品は同じく機能部品である金属製ベースに対
して装着させられてパネル体を構成することとなる。
【発明の効果】
【０００８】
請求項１に記載の発明では、機能部品は同じく機能部品である金属製ベースに対して装
着させられて全体としてパネル体を構成するため多数の機能部品からなるパネル体であっ
ても強度をしっかりと保持させることが可能となる。
【発明を実施するための最良の形態】
【０００９】
以下、本発明をパチンコ遊技機に応用した実施の形態について図面に基づいて説明する
。まず、各実施の形態に共通する概略構成について説明し、次いで各実施の形態の固有の
構成及び作用効果について説明する。尚、以下の説明においては前面、前方或いは表面側
とは遊技者が正対する側をいい、後面、後方或いは裏面側とはそれら正対する側の反対側
をいう。また、特記なき限り左右とは前面からみた左右方向をいう。
【００１０】
まず、図１〜図３に基づいてパチンコ遊技機の構成の概略を説明する。
【００１１】
図２に示すように、パチンコ遊技機ではパチンコ機本体１を中心としてその他のパネル
状の構成部材がその前後方向に積層状に配置されている。パチンコ機本体１の上半身に形
成された遊技盤取り付けスペース２には遊技盤３が嵌合されている。遊技盤３の前方位置
には扉枠５が配設されている。扉枠５は金属製ベースとしての取り付けフレーム４をベー
スとして機能部品としてのプラスチックの扉枠本体１５が装着されて構成されている。取
り付けフレーム４には機能部品としてのガラス窓Ｇ及び同取り付けフレーム４に装着され
た機能部品としての第１〜第３のＬＥＤ基板Ｌ１〜Ｌ３、扉枠本体１５の下部位置に装着
された機能部品としての上受け皿６が装着されている。扉枠５に関しては詳しく後述する
。
【００１２】
パチンコ機本体１において遊技盤３の下方位置にはカバープレート７が配設されている
。カバープレート７はパチンコ機本体１に対して固着されている。カバープレート７の裏
面にはパチンコ球発射機構８が配設されている。カバープレート７には前方に突出形成し
た下受け皿９が形成されている。下受け皿９の右側方にはパチンコ球発射機構８に連動す
る操作ハンドル１０が取付けられている。
【００１３】
遊技盤３の後方位置にはこれらを背面から覆うように機構盤１１が配設されている。機
構盤１１の下方には取り付けベース１２が配設されている。取り付けベース１２は機構盤
１１とは別体に構成されたパチンコ機本体１に装着される部材であって、各種基板が搭載
されている。
【００１４】
これら各パネルは主となるパチンコ機本体１を介して額縁状に枠組みされた四角形の木
製外枠１３に装着されている。パチンコ機本体１は木製外枠１３に対して着脱可能に嵌合
されている。
【００１５】
次にこのように構成されるパチンコ遊技機における扉枠５において特に扉枠本
体１５及び取り付けフレーム４の構成を中心に説明する。
（実施の形態１）
まず扉枠本体１５の構成について説明する。図１及び図２に示すように、プラスチック
製の扉枠本体１５は中央にガラス窓Ｇ用の略円形の大開口部２１が形成された略長方形板
体とされている。大開口部２１からは背後の遊技盤３の前面に形成された遊技面２２が露
出される。扉枠本体１５前面側において大開口部２１の上部の装着部１５ａには正面形状
略長方形の第１の電飾パネル２３が配設されている。扉枠本体１５前面側において大開口
部２１の左右の装着部１５ｂ，１５ｃには第２の電飾パネル２４，２５が配設されている
。両第２の電飾パネル２４，２５は互いに対称な弧状部材であって、第１の電飾パネル２
３とともに大開口部２１を包囲している。
【００１６】
両第２の電飾パネル２４，２５の下端には同両第２の電飾パネル２４，２５と連続する
透明パネル３０が配設されている。これら各パネル２３〜２５，３０は機能部品を構成し
、扉枠本体１５の前面側から装着可能とされている。各パネル２３〜２５，３０は図示し
ないビスによって背面側から固定されるようになっている。図５に示すようにする。図１
における扉枠本体１５の左側面位置には取り付けフレーム４との間でヒンジ部２６を構成
する係合部材２７が形成されている。
【００１７】
図４に示すように、扉枠本体１５の前記各電飾パネル２３〜２５の配置位置には複数の
円形形状の透孔３１が形成されており、後述するＬＥＤが同透孔３１から前方に露出する
ようになっている。また、透明パネル３０位置においては方形の大型透孔３２が形成され
ており、透明パネル３０を通して遊技部としての遊技面に貼付された検閲シール等が目視
できるようになっている。
【００１８】
図１〜図５に示すように、大開口部２１の前面側中央下部位置には機能部品としての上
受け皿６が形成されている。上受け皿６と大開口部２１の間には球貸し用の操作ボタン３
３とカードの残量を７セグスタイルで表示する表示パネル３４が配設されている。これら
操作ボタン３３や表示パネル３４は機能部品を構成する。
【００１９】
扉枠本体１５は取り付けフレーム４に対して装着されるようになっている。図６〜図８
、図２６〜図２８に示すように、取り付けフレーム４は合金をプレス成形して得られる長
方形形状の外郭をなすフレーム本体３５を有している。フレーム本体３５の全外周縁には
フレーム本体３５から前方に突出したフランジ３７が形成されている。フレーム本体３５
の中央位置には大きく方形に開口された大開口部３８が形成されている。フレーム本体３
５において大開口部３８の左右に配置された部分を左右の縦フレーム３５ａ，３５ｂとし
、大開口部３８の上下に配置された部分を上下フレーム３５ｃ、３５ｄとする。扉枠本体
１５に取り付けフレーム４が装着された状態において縦フレーム３５ａ，３５ｂは扉枠本
体１５の大開口部２１の左右位置を補強し、上下フレーム３５ｃ、３５ｄは扉枠本体１５
の大開口部２１の上下位置を補強する。
【００２０】
図６、図７、図２７及び図２８に示すように、大開口部３８の全周縁であってフレーム
本体３５の前面側には凹部３９が形成されている。同凹部３９の左右の内周縁は折り曲げ
形成されてフレーム本体３５の裏面側に突出されており左右突出部３９ａ，３９ｂとされ
ている。左右突出部３９ａ，３９ｂは上下方向に沿って延出させられ、同左右突出部３９
ａ，３９ｂにはそれぞれ左右の案内レール４１が装着されている。同凹部３９の下部内周
縁は折り曲げ形成されてフレーム本体３５の裏面側に突出されており下部突出部３９ｃと
されている。下部突出部３９ｃは左右方向に沿って延出させられ、同下部突出部３９ｃに
は支持レール４２が装着されている。
【００２１】
ガラス窓Ｇは左右の案内レール４１に案内された状態で支持レール４２によって下方か
ら支持されるようになっている。本実施の形態１ではフレーム本体３５に対して後方に向
かって案内レール４１及び支持レール４２が突出されているためこれらに支持されている
ガラス窓Ｇはフレーム本体３５の裏面に配設されることとなる。ガラス窓Ｇは更に後方の
遊技盤３の遊技面との間隔も考慮されて配置される。図２７に示すように、ガラス窓Ｇが
案内レール４１及び支持レール４２に支持された状態でフレーム本体３５のどの部分にも
接触することはない。
【００２２】
フレーム本体３５の大開口部３８の左右位置、すなわち左右の縦フレーム３５ａ，３５
ｂには上下方向に延出された第１の機能部品取り付け口４４が形成されている。同取り付
け口４４はそれぞれ左右位置において上下２箇所に直列状に合計４つの孔として配設され
ている。同各取り付け口４４下端縁には左右方向に延出された補強リブ４５が前方に向か
って突出形成されている。補強リブ４５はプレス加工によってフレーム本体３５と一体的
に形成されている。取り付けフレーム４の大開口部３８の上部位置、すなわち上部フレー
ム３５ｃには左右方向に延出された第２の機能部品取り付け口４６が形成されている。同
各取り付け口４６下端縁には左右方向に延出された補強リブ４７が前方に向かって突出形
成されている。補強リブ４７はプレス加工によってフレーム本体３５と一体的に形成され
ている。フレーム本体３５には同フレーム本体３５を扉枠本体１５に装着するための固定
ビス（図示せず）用の取り付け孔４８が散点的に配設されている。
【００２３】
図８に示すように、左縦フレーム３５ａには外枠１３に対して扉枠５を固定させるため
のラッチ４９が上下２箇所に後方に向かって突設されている。右縦フレーム３５ｂには遊
技盤３に対して係合されて扉枠５を片持ちに保持するための支持金具５０が上下２箇所に
形成されている。図６及び図７に示すように、支持金具５０に隣接してヒンジ部２６を構
成する係合ピン５１が形成されている。図１７に示すように係合ピン５１は前記扉枠本体
１５側の係合部材２７内に挿入された状態でヒンジ部２６を構成するため扉枠本体１５は
取り付けフレーム４（フレーム本体３５）に対してヒンジ部２６を中心に回動可能となる
。
【００２４】
図８に示すように、フレーム本体３５にはシール５２が貼付されている。シール５２に
は取り付けフレーム４に装着されたＬＥＤ基板Ｌ１〜Ｌ３の廃棄時期（つまりいつまで使
用できるかのデータ）が記載されており、パチンコ遊技機を回収した際に再度ＬＥＤ基板
Ｌ１〜Ｌ３を他のパチンコ遊技機に搭載してもよいかどうかの指標となる。また、図６〜
８に示すように、フレーム本体３５にはアース線Ｅが接続されておりパチンコ遊技機をセ
ットした状態で蓄積された静電気をアーシングして放電するようになっている。
【００２５】
次にこのような構成の取り付けフレーム４に対して装着される第１〜第３のＬＥＤ基板
Ｌ１〜Ｌ３について説明する。図９及び図１０に示すように、各ＬＥＤ基板Ｌ１〜Ｌ３は
基板表面Ｌａに発光部としての複数のＬＥＤが配設され、基板表面ＬａからはケーブルＣ
ｂが延出されている。基板表面にはＬＥＤ用の配線パターンＰがプリントされている。第
１〜第３のＬＥＤ基板Ｌ１〜Ｌ３はそれぞれ取り付けフレーム４のフレーム本体３５の前
面の左右及び上部装着部３５ａ，３５ｂ，３５ｃにそれぞれ装着されるようになっている
。
【００２６】
第１〜第３のＬＥＤ基板Ｌ１〜Ｌ３は仲介部材としての第１及び第２の連結キャッチ５
３，５５を介してフレーム本体３５に対して固着される。図１１〜図１６に示すように、
ＡＢＳ樹脂製の第１及び第２の連結キャッチ５３，５５は長方形形状のキャッチ本体５７
と、同キャッチ本体５７の前面側両端寄りから前方に向かって突出する一対の揺動脚５８
とにより基本的な構成が形成されている。対向配置された一対の揺動脚５８の外側面には
係合部としての第１の押さえ部６０が形成されている。第１の押さえ部６０は揺動脚５８
の側面長手方向に沿って延出されており、その前面にはテーパ状の案内面６１が形成され
ている。揺動脚５８の内側面には係合部としての第２の押さえ部６３が形成されている。
第２の押さえ部６３は揺動脚５８の側面長手方向に沿って延出されており、その前面には
テーパ状の案内面６５が形成されている。第２の押さえ部６３から若干キャッチ本体５７
に寄った位置には棚部６６が形成されている。
【００２７】
第１及び第２の連結キャッチ５３，５５による第１〜第３のＬＥＤ基板Ｌ１〜Ｌ３の詳
しい装着作用については後述する。
【００２８】
次に、第１〜第３のＬＥＤ基板Ｌ１〜Ｌ３の取り付けフレーム４への装着作業及び扉枠
本体１５の取り付けフレーム４への装着作業について説明する。
【００２９】
まず、第１〜第３のＬＥＤ基板Ｌ１〜Ｌ３の取り付けフレーム４への装着作業について
説明する。ＬＥＤ基板Ｌ１の装着作用についてはＬＥＤ基板Ｌ２と基本的に同じであるた
めＬＥＤ基板Ｌ２側の装着作業のみ説明する。
【００３０】
作業者はまず第１の連結キャッチ５３を把持し、同連結キャッチ５３を取り付けフレー
ム４の第２の機能部品取り付け口４６に対して図１８に示すように取り付けフレーム４の
後方から装着していく。
【００３１】
図２１（ａ）に示すように、第１の連結キャッチ５３の揺動脚５８を第１の機能部品取
り付け口４４に挿入させる。すると対向する揺動脚５８の間隔はちょうど同取り付け口４
４の幅と等しいためすみやかに挿入されて行き、揺動脚５８の外側面形成されている第１
の押さえ部６０が同取り付け口４４の縁部４４ａと当接する。この段階で更に第１の連結
キャッチ５３を同取り付け口４４方向に押して行くと図１８（ｂ）に示すように揺動脚５
８は案内面６１を介して縁部４４ａによって押動され徐々に内側に撓んでいく。そして、
揺動脚５８が進出していって縁部４４ａと第１の押さえ部６０との係合状態が解除される
と図１９及び図２１（ｃ）に示すように揺動脚５８は自身の弾性作用によって戻る。この
状態で第１の連結キャッチ５３はキャッチ本体５７と第１の押さえ部６０とによって縁部
４４ａ位置のフレーム本体３５を挟持することとなり同取り付け口４４位置に固定される
こととなる。このように第１の連結キャッチ５３が装着された状態でちょうど第１の連結
キャッチ５３は補強リブ４５の上に載置されることとなり（図１９，図２０、図２６等参
照）、補強リブ４５は第１の連結キャッチ５３の一種の底板としての役割を果たすことと
なる。
【００３２】
このような作業を上下の第１の連結キャッチ５３に対して行う。
【００３３】
次いで、このように固定された第１の連結キャッチ５３に対して図１０に示す第１のＬ
ＥＤ基板Ｌ１を図１９に示すように取り付けフレーム４の前方から装着していく。
【００３４】
図２１（ｄ）に示すように、第１のＬＥＤ基板Ｌ１を揺動脚５８の第２の押さえ部６３
の案内面６５に当接させる。この段階で更に第１のＬＥＤ基板Ｌ１を第１の連結キャッチ
５３方向に押して行くと図２１（ｅ）に示すように揺動脚５８は案内面６５を介して第１
のＬＥＤ基板Ｌ１に押動され徐々に内側に撓んでいく。そして、揺動脚５８が進出してい
って第１のＬＥＤ基板Ｌ１と第１の押さえ部６０との係合状態が解除されると図２０及び
図２１（ｆ）に示すように揺動脚５８は自身の弾性作用によって戻る。この状態で第１の
ＬＥＤ基板Ｌ１は第２の押さえ部６３と棚部６６とによって挟持されることとなり第１の
連結キャッチ５３を介して同取り付け口４４位置に固定されることとなる。
【００３５】
第１及び第２のＬＥＤ基板Ｌ１，Ｌ２をこのように装着した後、第３のＬＥＤ基板Ｌ３
を装着するために第２の連結キャッチ５５を第２の機能部品取り付け口４６に対して図２
２に示すように取り付けフレーム４の後方から装着していく。第２の連結キャッチ５５の
装着作業は図２５（ａ）〜図２５（ｃ）に示す通りである。この一連の作用は上記第１の
連結キャッチ５３と同じであるため説明を省略する。
【００３６】
次いで、このように固定された第２の連結キャッチ５５に対して図９に示す第３のＬＥ
Ｄ基板Ｌ３を図２３に示すように取り付けフレーム４の前方から装着していく。第３のＬ
ＥＤ基板Ｌ３の装着作業は図２５（ｄ）〜図２５（ｆ）に示す通りである。この一連の作
用は上記第１のＬＥＤ基板Ｌ１と同じであるため説明を省略する。
【００３７】
このＬＥＤ基板Ｌ１〜Ｌ３のＬＥＤ基板用フレーム１６への装着作業はパチンコ遊技機
組立ライン工程とは別のラインにて前もって行っておくことが可能であ
る。
【００３８】
次いでこのように第１〜第３のＬＥＤ基板Ｌ１〜Ｌ３を装着した状態の取り付けフレー
ム４の前面側に扉枠本体１５を装着する。すなわち作業者は図１７に示すように取り付け
フレーム４側の係合ピン５１に対して扉枠本体１５側の係合部材２７を嵌合させてヒンジ
部２７とし、取り付けフレーム４に対して扉枠本体１５を片持ちに保持させるようにする
。そして取り付けフレーム４と扉枠本体１５とを重ね合わせ前記ビス止め用のビス孔４８
に対してビス５９を螺着させて取り付けフレーム４と扉枠本体１５とを固定する（図２９
）。
【００３９】
このように構成することで本実施の形態１では次のような効果を奏する。
（１）従来金属フレームは扉枠本体１５等の強度を補完する目的以外には用いられてはお
らず、機能部品を装着するベースとして金属製のベースを用いるという発想はなかった。
このような構成とすれば様々な機能部品が必要となってきている状態においてプラスチッ
ク製のベースに多くの機能部品を装着させて強度低下に陥るといった不具合が生じること
がなくなる。また、金属フレーム４側にこのようにＬＥＤ基板Ｌ１〜Ｌ３を装着させるこ
とで扉枠本体１５側のＬＥＤ基板Ｌ１〜Ｌ３と重なった位置には他の機能部品を配置する
こともでき、パネル体としての扉枠５の機能部品を装着する裕度が生まれる。
（２）機能部品が増加してきた場合にこれらをすべて扉枠本体１５にそれぞれ別個に装着
するとした場合には扉枠本体１５にかかる荷重も増加し構造的にも複雑化することとなる
。しかし、このように取り付けフレーム４（フレーム本体３５）に一部（あるいは全部）
の機能部品を分担させることでそのような問題が解消されることとなる。
（３）前もって取り付けフレーム４にＬＥＤ基板Ｌ１〜Ｌ３を装着しておけば取り付けフ
レーム４を扉枠本体１５に対して装着するだけでＬＥＤ基板Ｌ１〜Ｌ３の配置も可能とな
るため製造ラインにおけるＬＥＤ基板Ｌ１〜Ｌ３の取り付け作業が簡略化でき作業効率が
向上する。
（４）取り付けフレーム４に対して扉枠本体１５はヒンジ部２６によって開放可能とされ
ている。つまり扉枠本体１５のみを取り付けフレーム４に対して開放してその裏面を露出
させることができ、また、取り付けフレーム４については機能部品（ここではＬＥＤ基板
Ｌ１〜Ｌ３）が装着された前面を露出させることができるわけである。従って、点検作業
等において扉枠本体１５を取り付けフレーム４に対して開放させることが容易となり作業
効率が極めて向上する。
（５）取り付けフレーム４にＬＥＤ基板Ｌ１〜Ｌ３を装着するようにしたため取り付けフ
レーム４自体の剛性も向上することとなる。
（６）取り付けフレーム４は金属製であって、成形上の制限からこれに装着させる機能部
品（ここではＬＥＤ基板Ｌ１〜Ｌ３）を掛止するための構造を容易に形成することは困難
である。しかし、上記のように第１及び第２の連結キャッチ５３，５５を使用してこれを
介してＬＥＤ基板Ｌ１〜Ｌ３を装着するようにしている。これによって機能部品の取り付
けが可能となっている。
【００４０】
また、取り付けフレーム４とは別個に成形できる連結キャッチ５３，５５は自由な形状
とすることができ、取り付けフレーム４に装着する機能部品に応じて自在に変形させるこ
とが可能となる。
【００４１】
更に、上記連結キャッチ５３，５５はプラスチック製であるためリサイクル可能である
。
（７）フレーム本体３５は大開口部３８以外に取り付け口４４，４６を設けるために多く
の透孔が形成されることとなる。しかし、上記連結キャッチ５３，５５によってこの取り
付け口４４，４６は塞がれてしまうため強度の劣化は極力防止されることとなる。
（８）取り付けフレーム４にはフランジ３７や凹部３９や折り返した突出部３９ａ〜３９
ｃ等が形成されているため、薄板状であるにもかかわらず曲げ強度を必要十分に得ること
ができる。
（９）ＬＥＤ基板Ｌ１〜Ｌ３は一度の使用のみで廃棄するのではなくパチンコ遊技機を回
収した後に改めて異なるパチンコ遊技機に搭載可能である。すなわちこれら複数のＬＥＤ
基板Ｌ１〜Ｌ３はリサイクル可能であるという機能の観点から見た場合共通性を有する。
これらはまた、リサイクルしない場合であってもこのようにケーブルＣｂを有するプラス
チック部材として分別廃棄が可能という機能の観点から見た場合にも共通性を有する。
（１０）取り付けフレーム４は金属製であってリサイクル可能な機能部品であるためＬＥ
Ｄ基板Ｌ１〜Ｌ３をリサイクルするとともに自身も回収してリサイクルすることが可能で
ある。
（１１）ＬＥＤ基板Ｌ１〜Ｌ３のリサイクルの限界はシール５２の使用日限をチェックす
ることでそれが可能である。そのため取り付けフレーム４を取り外した段階でシール５２
を見て再度リサイクルする場合と廃棄する場合に区別して分別することが容易となる。
（１２）凹部３９内にＬＥＤ基板Ｌ１〜Ｌ３のケーブルＣｂを通すことで周囲の壁面によ
ってケーブルＣｂは包囲されるため遊技者側からケーブルＣｂが目視されてしまうことが
ない。
（１３）ＬＥＤ基板Ｌ１〜Ｌ３を保持した状態で重量のあるこれら連結キャッチ５３，５
５は揺動脚５８によって自身で取り付け口４４，４６に支持されると同時に第１の連結キ
ャッチ５３は補強リブ４５の上に、第２の連結キャッチ５５は補強リブ４７の上にそれぞ
れ載置されることとなる。従って連結キャッチ５３，５５は取り付け口４４，４６にしっ
かりと保持されて脱落することがなくなる。
（１４）各第１の連結キャッチ５３は補強リブ４５の上に載置されることとなる。そのた
めこれら連結キャッチ５３にＬＥＤ基板Ｌ１，Ｌ２を装着した状態において補強リブ４５
が一種の底板となってＬＥＤ基板Ｌ１，Ｌ２が下方にスライドして連結キャッチ５３から
脱落することのないようになっている。
（１５）取り付けフレーム４の大開口部３８の内周には突出部３９ａ〜３９ｃが形成され
ているためこれらが一種の遮蔽壁として大開口部３８の外側が見えにくくなっている。そ
のため、遊技者の目を気にすることなく取り付けフレーム４や扉枠本体１５の裏面の構造
を設計することができる。
（実施の形態２）
実施の形態２は実施の形態１とは異なり第３のＬＥＤ基板Ｌ３の代わりに表示装置７０
が配設される場合である。図示において実施の形態１と対応する構成については同じ番号
を付すことで詳しい説明を省略する。
【００４２】
図３２及び図３３に示すように、フレーム本体３５の第２の取り付け口４６を利用して
同取り付け口４６の横幅よりも短い機能部品、例えば液晶画面の表示部７１を備えた表示
装置７０をＬＥＤ基板用フレーム１６に着脱可能に配置するようにしてもよい。
【００４３】
第２の取り付け口４６には補強リブ４７上に表示装置７０が載置され上部装着部３５ｃ
に対してビス７７によって固定されるようになっている。表示装置７０の左右には封塞プ
レート７３が第２の取り付け口４６の残った空間を封塞するように配置されビス７７によ
って固定されるようになっている。
【００４４】
図３０及び図３１に示すように、扉枠本体１５の大開口部２１の上部の装着部１５ａに
は透孔７８が形成されている。フレーム本体３５（取り付けフレーム４）に装着された表
示装置７０は実施の形態１と同様に扉枠本体１５に固定され表示部７１が透孔７８から露
出されるようになっている。透孔７８には扉枠本体１５前面側から表示部７１の周縁を包
囲するようにカバー７９が装着されるようになっている。
【００４５】
表示装置７０は左右の封塞プレート７３にもビス７７によって固定されるため表示装置
７０は第２の取り付け口４６の左右幅よりも短いにもかかわらずフレーム本体３５にしっ
かりと固定されることとなる。更に、フレーム本体３５に左右方向に大きく開放された開
口部が形成されるためフレーム本体３５単独では強度が劣ってしまう。しかし、封塞プレ
ート７３は表示装置７０を中間に介して直列状に連結されて第２の取り付け口４６を完全
に塞ぎ同取り付け口４６の補強となるため強度の劣化が防止されることとなる。
【００４６】
尚、この発明は、次のように変更して具体化することも可能である。
【００４７】
・実施の形態１のように第１〜第３のＬＥＤ基板Ｌ１〜Ｌ３を直接第１又は第２の連結
キャッチ５３，５５の揺動脚５８に把持させるのではなく、支持体を介在させて装着する
ようにしてもよい。例えば図３４及び図３５に示すように、ＬＥＤ基板Ｌ２にちょうど揺
動脚５８に把持される形状（つまり上記実施の形態１でのＬＥＤ基板Ｌ１の外形形状のよ
うな）の支持板８１連結部８２を介して連結する。そして、揺動脚５８に支持板８１を把
持させるようにするものである。
【００４８】
このように構成すると種々の形状とされたＬＥＤ基板Ｌ１〜Ｌ３のような機能部品に自
在に対応させることができ、特にＬＥＤ基板Ｌ１〜Ｌ３のようなＬＥＤの光を前方に発光
させる機能部品ではより前方に進出させるような設計が可能となるため有利である。
【００４９】
・上記各実施の形態では個々の連結キャッチ５３，５５毎に１つの第１〜第３のＬＥＤ
基板Ｌ１〜Ｌ３を把持するようにしていたが、例えば図３６に示すように隣接する連結キ
ャッチ５３で１つのＬＥＤ基板Ｌ２を把持するようにしてもよい。
【００５０】
・連結キャッチ５３，５５の形状は上記各実施の形態に限定されることはない。例えば
、図３７のように連結キャッチ５５のキャッチ本体５７の両端にのみ揺動脚５８を形成し
てもよい。すなわち、上記実施の形態１の第２の連結キャッチ５５の揺動脚５８とは９０
度ずれた向きに揺動脚５８を配置するようにしてもよい。このような向きにして上記第２
の同取り付け口４６とは別位置で揺動脚５８の作用によって装着するようにしてもよい。
その他、キャッチ本体５７の形状を変形させたり揺動脚５８の幅を変更する等は自由であ
る。
【００５１】
・連結キャッチ５３，５５の材質はその他のプラスチック製としてもよい。また、弾性
体（例えば合成ゴム）で構成するようにしてもよい。弾性体とすれば連結キャッチ５３，
５５が大きく撓むため第１〜第３のＬＥＤ基板Ｌ１〜Ｌ３の撓
みが極めて少なくなる。
【００５２】
・上記実施の形態ではシール５２に記載された日付によってリサイクル可能回数をチェ
ックするようになっていたが、その他のリサイクル回数確認手段として例えばバーコード
、ＱＲコードを使用するようにしてもよい。また、リサイクル回数確認手段としてシール
５２以外にＩＣチップやメモリカードを使用するようにしてもよい。
【００５３】
・上記実施の形態では揺動脚５８のような爪としての押さえ部６３やビス７７によって
機能部品（ＬＥＤ基板Ｌ１〜Ｌ３、表示装置７０）を固定するようにし
いたが他の手段であっても構わない。
【００５４】
・図３８に示すように、ガラス窓Ｇを取り付けフレーム４の前面側に配置するようにし
てもよい。この場合には取り付けフレーム４の裏面側に配置する場合に比べて遊技盤３か
ら離間した位置に配置されることとなるため。このように後方に後退した段違い部８５を
形成することで上部装着部３５ａ、３５ｂを基準として若干後方位置に配置するようにし
てもよい。段違い部８５は同時に大開口部３８の補強ともなる。図３８に示すように、セ
ット状態において段違い部８５は遊技盤３側に形成された凹部８６に嵌合されるためガラ
ス窓Ｇのぐらつきが防止される（ガラス窓Ｇは自体は遊技盤３にもフレーム本体３５にも
接触することはない）。
【００５５】
・図３９に示すように、案内レール４１をガラス窓Ｇを取り付けフレーム４の前面側に
装着するようにしてもよい。この場合ではガラス窓Ｇ自体はフレーム本体３５よりも後方
位置に配置されるものの、案内レール４１自体はフレーム本体３５の前面側に取り付けら
れている。
【００５６】
・取り付けフレーム４に対する機能部品の装着は種々の手段が考えられるが、図４０に
示すように、取り付けフレーム４に形成された透孔９１に対して装着する機能部品９２に
向かい合って形成された一対の押さえ部９３を設けたレバー９５，９６によって透孔９１
の相対向する内周縁９１ａと押さえ部９３とを係合させるようにしてもよい。このような
片持ち横爪方式のレバー９５，９６であれば内周縁９１ａの長手方向に沿って広く押さえ
付けることが可能であるとともに、レバー９５，９６が水平方向に延出されるため前後方
向に突起してパネル体の厚みが増してしまうようなことがない。このようにすればビスを
使用しなくともしっかりとＬＥＤ基板Ｌを保持させることができる。また、レバー９５，
９６を揺動させることで容易に着脱が可能となる。
【００５７】
もちろん、このようなレバー９５，９６と上記ビス７７等の併用は構わない。
【００５８】
・上記実施の形態ではＬＥＤ基板Ｌ１〜Ｌ３はフレーム本体３５（取り付けフレーム４
）の前面側に配設されていたが、フレーム本体３５の裏面側に配設するようにしてもよい
。その場合にはＬＥＤの光が第２の同取り付け口４６に装着されている第２の連結キャッ
チ５５に邪魔されないように図４１に示すように第２の連結キャッチ５５に透孔９８を形
成する。これによってＬＥＤの光が透孔９８を通して前方に照明されるようになる。
【００５９】
・取り付けフレーム４（フレーム本体３５）の形状は上記に限定されることはない、フ
ランジ３７の形状や突出量、取り付け口４４，４６の形状、配置位置、数は適宜変更可能
である。
【００６０】
・上記実施の形態ではフランジ３７側をフレーム本体３５に当接させたが、逆向きであ
ってもよい。
【００６１】
・上記各実施の形態では先にすべての第１の連結キャッチ５３（又は第２の連結キャッ
チ５５）をフレーム本体３５に装着してからＬＥＤ基板Ｌ１（又はＬ２，Ｌ３）を装着す
るようにしていたが、これは装着作業の一例であって例えば連結キャッチ５３を１つ着け
るごとにＬＥＤ基板Ｌ１（又はＬ２）を装着するようにしてもよいし、すべての連結キャ
ッチ５３，５５を着けてからＬＥＤ基板Ｌ１〜Ｌ３を装着するようにしてもよい。
【００６２】
・上記各実施の形態ではビス５９によって扉枠本体１５に対して取り付けフレーム４を
固定していたが、ビス５９以外の手段、例えば扉枠本体１５に爪部材を形成し取り付けフ
レーム４側の係合部材に対して掛止させるようにして固定してもよい。また、ビス５９と
爪部材をを併用するようにしてもよい。
【００６３】
・上記ケーブルＣｂのような配線を保持する保持手段を設けるようにしてもよい。
【００６４】
・上記取り付けフレーム４の大開口部３８の内周には突出部３９ａ〜３９ｃが形成され
ておりこれらが一種の遮蔽壁として大開口部３８の外側が見えにくくなっていた。しかし
、逆に突出部３９ａ〜３９ｃをそれほど突起させずに内部を積極的に見せるようにしても
よい。
【００６５】
・上記実施の形態では機能部品の例として第１〜第３のＬＥＤ基板Ｌ１〜Ｌ３と表示装
置７０を例として挙げたが、その他装飾用のカバー、ガラス保持枠、中継基板、配線保持
部材等の機能部品を装着するようにしてもよい。
【００６６】
・前記取り付けフレーム４では特に扉枠５のための装飾用の機能部品であるＬＥＤ基板
Ｌ１〜Ｌ３と表示装置７０を装着していたために、これら機能部品は取り付けフレーム４
の前面側に配置されていたが、部品によっては裏面に配設するようにしても構わない。
【００６７】
・上記各実施の形態はパネル体として特に扉枠５に反映した実施の形態として説明した
が、他のパネル体、例えばパチンコ機本体１や機構盤１１に応用することも可能である。
【００６８】
・本実施の形態はいわゆるパチンコ機以外の例えばスロットマシンやパチロットにも応
用可能である。
【００６９】
・その他、本発明の趣旨を逸脱しない態様で実施することは自由である。
【００７０】
本発明の目的を達成するために上記実施の形態から把握できるその他の技術的思想につ
いて下記に付記として説明する。
（１）前記機能部品は前記金属製ベースに着脱可能に装着されることを特徴とする請求項
１に記載の遊技機。
【００７１】
これによって機能部品の交換やリサイクルが容易に行えることとなる。
（２）前記機能部品には同面に形成されたレバーを設け、同レバーを常時は同レバーに形
成された係合部を前記金属製ベースに形成された透孔の周縁と干渉させるとともに、同基
部を中心として同透孔の周縁から離間する方向に向かって撓ませることで同金属製ベース
との機能部品の着脱時には同金属製ベースと干渉しない位置に移動可能としたことを特徴
とする請求項１又は付記１に記載の遊技機。
【００７２】
例えば上記実施の形態の図４０のいわゆる片持ち横爪方式のレバー９５，９６が考えら
れる。これによってレバーを撓ませることで容易に金属製ベースに対して機能部品を着脱
することが可能となる。
（３）前記機能部品は仲介部材を介して前記金属製ベースに着脱可能に装着されることを
特徴とする請求項１に記載の遊技機。
【００７３】
これによって加工しにくい金属製ベースに対して複雑な取り付けようの加工を施さなく
とも仲介部材を介することによって確実に機能部品を装着することができる。
（４）前記仲介部材は前記金属製ベースに形成された透孔に対して固定手段によって固定
されることを特徴とする付記３に記載の遊技機。
【００７４】
これには例えば上記実施の形態の揺動脚５８のように爪によって固定する場合や、ビス
７７によって螺着する場合がある。
（５）前記仲介部材にはレバーを設け、同レバーを撓ませることで同レバーに形成された
係合爪によって前記金属製ベースに形成された透孔に掛止させ、もって仲介部材を同ベー
スに装着するようにしたことを特徴とする付記３又は４のいずれかに記載の遊技機。
【００７５】
レバーとは上記実施の形態では揺動脚５８であり、係合爪とは例えば上記各実施の形態
のような押さえ部６０がこれに相当する。このような装着手段を採用することで作業の効
率化を図ることができる。
（６）前記係合爪は前記透孔の対向する両縁部に係合爪が係合されるように対向配置され
ていることを特徴とする付記５に記載の遊技機。。
【００７６】
これによって仲介部材は金属製ベースに対してしっかりと固定される。
（７）前記レバーの係合爪には機能部品の同係合爪に対する押圧による圧力を分散させ同
レバーに前記透孔の側方に向かって撓ませる方向のベクトル成分を付与する斜状部を形成
したことを特徴とする付記５又は６に記載の遊技機。
【００７７】
これによって仲介部材を金属製ベースの透孔に押し込むだけで斜状部の作用でレバーが
揺動し、仲介部材を透孔位置に装着させることができるので作業が効率化する。斜状部と
は上記実施の形態では案内面６１である。
【００７８】
これによってワンタッチで仲介部材を装着することができ、作業の効率化とコストダウ
ンに貢献する。
（８）前記透孔は装着する前記仲介部材よりも大きく開口しており、補助部材によって仲
介部材とともに同透孔を塞ぐようにしていることを特徴とする付記３〜７のいずれかに記
載の遊技機。
【００７９】
これによって金属製ベースに種々の形状の仲介部材を装着することができひいては仲介
部材に保持される機能部品の大きさの如何にかかわりなく装着できることとなる。この場
合に透孔は仲介部材と補助部材によって完全に塞がれなくともよい。補助部材とは上記実
施の形態では封塞プレート７３が相当する。
（９）前記２以上の仲介部材は１つの前記機能部品を保持することを特徴とする付記３〜
８のいずれかに記載の遊技機。
【００８０】
これによって一つの仲介部材では取り付けにくい機能部品の装着が可能となる。
（１０）前記仲介部材は透孔への装着状態で下方から支持手段によって支持されているこ
とを特徴とする付記３〜９のいずれかに記載の遊技機。
【００８１】
これは特に重量のある機能部品例えば表示装置を搭載したユニット化ベースにおいて有
効である。支持手段とは上記実施の形態では補強リブ４５，４７等である。
（１１）前記支持手段は前記仲介部材に支持された前記機能部品の下方への脱落を防止す
る機能を兼ねていることを特徴とする付記１０に記載の遊技機。
【００８２】
例えば上記実施の形態１のように連結キャッチ５３に支持されたＬＥＤ基板Ｌ２は構造
上補強リブ４５がなければ揺動脚５８をスライドして下方に脱落してしまうこととなる。
これによって付記８の効果に加え脱落が防止されることとなる。
（１２）前記仲介部材はプラスチック製であることを特徴とする付記３〜１１のいずれか
に記載の遊技機。
【００８３】
これによって機能部品の形状にうまく適合した部品に成形することが可能である。また
、リサイクルが可能である。
（１３）前記仲介部材は弾性素材から構成されていることを特徴とする付記３〜１１のい
ずれかに記載の遊技機。
【００８４】
これによって機能部品を撓ませずに仲介部材側を撓ますことが容易となるため機能部品
に対する負荷が少なくなる。
（１４）前記金属製ベースには補強加工が施されていることを特徴とする請求項１若しく
は付記１〜１３のいずれかに記載の遊技機。
【００８５】
補強加工とは上記各実施の形態ではフランジ３７、凹部３９、突出部３９ａ〜３９ｃ、
段違い部８５等が相当する。これによって金属製ベースの強度が増加する。
（１５）前記金属製ベースには電機部品用の配線の収納部が形成されていることを特徴と
する請求項１若しくは付記１〜１４のいずれかに記載の遊技機。
【００８６】
上記実施の形態では凹部３９が相当する。凹部３９は同時にベースの補強も兼ねている
。
（１６）前記金属製ベースには同ベースに装着される前記機能部品についての情報の読み
取りが可能とされた識別媒体が配設されていることを特徴とする請求項１若しくは付記１
〜１５のいずれかに記載の遊技機。
【００８７】
情報とは例えばリサイクル回数、リサイクル可能な日限情報、材質、製造年月日等が挙
げられる。識別媒体としては例えば上記実施の形態のようなシール７４以外にＩＣチップ
、メモリカード等が挙げられる。情報の開示手段としては上記実施の形態のように直接日
付を記載することの他に、識別コード（例えばバーコード、ＱＲコード）を使用すること
が可能である。識別コードを使用した場合では読み取り装置が必要となるため情報の秘密
性が保持できるという利点がある。
（１７）前記金属製ベースには外部端子に接続されたアース線が配設されていることを特
徴とする請求項１若しくは付記１〜１６のいずれかに記載の遊技機。
【００８８】
これによってパチンコ遊技機を使用した際に蓄積されるた静電気をアーシングして放電
することが可能となっている。
（１８）金属製ベースに形成された前記透孔は装着する基準となる前記機能部品に対して
より大きく開口されており余った開口部分を同機能部品と連結された補助部材によって封
塞することで異なる種類の機能部品を同透孔に面して配置するようにしたことを特徴とす
る請求項１若しくは付記１〜１７のいずれかに記載の遊技機。
【００８９】
これによって種々の機能部品を金属製ベースに配置させために透孔を大きく形成しても
補助部材によって封塞することで透孔部の補強をすることができる。
（１９）前記金属製ベースと同金属製ベースが装着される他の機能部品との間には他の機
能部品が挟持されていることを特徴とする請求項１若しくは付記１〜１８のいずれかに記
載の遊技機。
【００９０】
これによって機能部品の機構をより高めることができる。例えばＬＥＤの光を拡散させ
る散光シートのようなものが考えられる。
（２０）前記金属製ベースには遊技盤の遊技面を前方に露出させるための開口部が形成さ
れ、同開口部周縁には遮蔽壁が配設されていることを特徴とする請求項１若しくは付記１
〜１９のいずれかに記載の遊技機。
【００９１】
遮蔽壁に阻まれて外側が見えにくくなっている。そのため、遊技者の目を気にすること
なくパネル体や機能部品（取り付けフレーム４や扉枠本体１５等）の設計をすることがで
きる。
（２１）前記金属製ベースに装着される窓ガラス取り付け用のガラス用レールは同金属製
ベースを基準として後方位置に配置されていることを特徴とする請求項１若しくは付記１
〜２０のいずれかに記載の遊技機。
（２２）前記金属製ベースに装着される窓ガラス取り付け用のガラス用レールは同金属製
ベースを基準として前方位置に配置されていることを特徴とする請求項１若しくは付記１
〜２１のいずれかに記載の遊技機。
【００９２】
ここに前方位置とはガラス用レール及び窓ガラスとも金属製ベースよりも前方にある場
合のみではなく、例えば上記図３９に示すようにガラス用レールの取り付け位置が前方に
ある場合も含む。
（２３）前記金属製ベースに隣接する遊技盤には前記ガラス用レールを直接的又は間接的
に保持する保持手段が形成されていることを特徴とする請求項１若しくは付記１〜２１の
いずれかに記載の遊技機。
【００９３】
例えば上記図３８に示すように遊技盤３に形成された凹部８６が保持手段に該当する。
また、間接的とは上記図３８のように案内レール４１が凹部８６に直接係合するのではな
く段違い部８５を介して係合されているような場合をいう。
（２４）前記金属製ベースは同ベースが固定される機能部品（上記実施の形態では扉枠本
体１５）との間でヒンジ部を中心に互いに回動可能であることを特徴とする請求項１若し
くは付記１〜２３のいずれかに記載の遊技機。
【００９４】
これによって点検作業等において互いに開放させることができ作業効率が極めて向上す
る。
（２５）前記金属製ベースは同金属製ベースを構成するパネル体とは別のパネル体に対し
てヒンジ部を中心に回動可能であることを特徴とする請求項１若しくは付記１〜２４のい
ずれかに記載の遊技機。
【００９５】
他のパネル体とは上記実施の形態では例えばパチンコ機本体１が挙げられる。（２６）
前記金属製ベースには複数の機能部品装着用の透孔群が形成され、同透孔群には常時は機
能部品を装着しない予備的な透孔が含まれることを特徴とする請求項１若しくは付記１〜
２５のいずれかに記載の遊技機。
【００９６】
これによって、将来の機能部品の変更、例えばリサイクルした金属製ベースに別の機能
部品を装着するような対応が可能となる。透孔には直接機能部品を装着しても上記仲介部
材を介在させてもよい。
（２７）前記複数の機能部品は複数種類の部品から構成されることを特徴とする請求項１
若しくは付記１〜２６のいずれかに記載の遊技機。
【００９７】
ここに複数種類とは機能に共通性があっても総体的には異なる機能である場合、例えば
上記実施の形態においてＬＥＤ基板Ｌ１〜Ｌ３と表示装置７０を取り付けフレーム４（フ
レーム本体３５）に搭載させるような場合である。
（２８）前記金属製ベースに装着される前記機能部品は電気部品であることを特徴とする
ことを特徴とする請求項１若しくは付記１〜２７のいずれかに記載の遊技機。
【００９８】
電気部品とは上記ＬＥＤ基板Ｌ１〜Ｌ３のように発光部品やカード操作機構、各種表示
装置、スピーカ、その他電源から電力を供給されるものを広く言う。このようにユニット
化ベースに電機部品をまとめることで配線作業や点検の便宜を図ることができ、また、パ
チンコ遊技機を回収した際にユニット化ベースを取り外しこれをチェックすることで電機
部品としてリサイクルするか廃棄するかの判断もできることとなる。
（２９）前記金属製ベース又は／及び同金属製ベースに装着される前記機能部品はそのま
ま再使用することのできる機能を有することを特徴とする請求項１若しくは付記１〜２８
のいずれかに記載の遊技機。
【００９９】
このような機能部品は特に大きく加工する必要もなく再利用できることからリサイクル
性が高い。例え場上記実施の形態のＬＥＤ基板Ｌ１〜Ｌ３が挙げられる。
（３０）前記金属製ベースに装着される機能部品は前記仲介部材を介して金属製ベースよ
りも前方位置或いは後方位置に配置されることを特徴とする請求項１若しくは付記１〜２
９のいずれかに記載の遊技機。
【０１００】
これによって所望の機能部品をより前方位置或いは後方位置に配置できることとなる。
上記実施の形態では揺動脚５８に支持される支持板８１と連結部８２がこれに相当する。
（３１）前記複数の機能部品は前記金属製ベースの前面側に配置されることを特徴とする
請求項１若しくは付記１〜３０のいずれかに記載の遊技機。
【０１０１】
なるべく前方に配置させることが好ましい機能部品にとって有利である。
（３２）前記複数の機能部品は前記金属製ベースの裏面側に配置されることを特徴とする
請求項１若しくは付記１〜３１のいずれかに記載の遊技機。
【０１０２】
なるべく後方に配置させることが好ましい機能部品にとって有利である。
（３３）前記金属製ベースには複数の発光部品が装着されることを特徴とする請求項１若
しくは付記１〜３２のいずれかに記載の遊技機。
【０１０３】
これによって特にリサイクル性が重視される発光部品を一括して取り扱うことが可能と
なる。発光部品とは上記ではＬＥＤ基板Ｌ１〜Ｌ３である。
（３４）前記金属製ベースの裏面側に前記発光部品が装着される場合には同発光部品の照
明が同金属製ベースを通して前方に導かれるように同金属製ベースに透孔が形成されるこ
とを特徴とする付記３３に記載の遊技機。
【０１０４】
これによって発光部品を後方位置に配置する際の照明が可能となる。
（３５）前記発光部品が前記仲介部品を介して前記金属製ベースに装着されている場合に
、同仲介部品によって前記透孔が塞がれる場合には第２の透孔を同仲介部品に形成して照
明が前方に導かれるようにしたことを特徴とする付記３４に記載の遊技機。
【０１０５】
上記実施の形態では図４１の透孔９８が第２の透孔に相当する。
【図面の簡単な説明】
【０１０６】
【図１】本発明の実施の形態１のパチンコ遊技機の斜視図。
【図２】同じパチンコ遊技機の正面図。
【図３】同じパチンコ遊技機の分解側面図。
【図４】扉枠本体（扉枠）の正面図。
【図５】扉枠本体（扉枠）に対するカバー配置位置を説明する正面図。
【図６】取り付けフレームの背面図。
【図７】同じ取り付けフレームの背面からの斜視図。
【図８】同じ取り付けフレームの正面からの斜視図。
【図９】ＬＥＤ基板の斜視図。
【図１０】ＬＥＤ基板の斜視図。
【図１１】連結キャッチの背面からの斜視図。
【図１２】連結キャッチの正面からの斜視図。
【図１３】連結キャッチの側面図。
【図１４】連結キャッチの背面からの斜視図。
【図１５】連結キャッチの正面からの斜視図。
【図１６】連結キャッチの側面図。
【図１７】ヒンジ部の拡大分解斜視図。
【図１８】連結キャッチの装着方法を説明する斜視説明図。
【図１９】ＬＥＤ基板の装着方法を説明する斜視説明図。
【図２０】ＬＥＤ基板が装着された状態の斜視図。
【図２１】（ａ）〜（ｃ）は連結キャッチの装着方法の概略説明図、（ｄ）〜（ｆ）はＬＥＤ基板の装着方法の概略説明図。
【図２２】連結キャッチの装着方法を説明する斜視説明図。
【図２３】ＬＥＤ基板の装着方法を説明する斜視説明図。
【図２４】ＬＥＤ基板が装着された状態の斜視図。
【図２５】（ａ）〜（ｃ）は連結キャッチの装着方法の概略説明図、（ｄ）〜（ｆ）はＬＥＤ基板の装着方法の概略説明図。
【図２６】ＬＥＤ基板が装着された状態の取り付けフレームの背面図。
【図２７】図２６におけるＡ−Ａ線での断面図。
【図２８】図４におけるＢ−Ｂ線での断面図。
【図２９】取り付けフレームを扉枠本体に装着した状態の背面図。
【図３０】他の実施の形態の扉枠本体（扉枠）の正面図。
【図３１】他の実施の形態の扉枠本体（扉枠）に対するカバー配置位置を説明する正面図。
【図３２】他の実施の形態における表示装置の取り付けフレームへの装着方法を説明する分解斜視図。
【図３３】同じく表示装置を取り付けフレームへ装着した状態の正面図。
【図３４】他の実施の形態のＬＥＤ基板の装着方法を説明する斜視説明図。
【図３５】他の実施の形態のＬＥＤ基板の装着方法を説明する側断面図。
【図３６】他の実施の形態のＬＥＤ基板の装着方法を説明する側断面図。
【図３７】他の実施の形態の連結キャッチの斜視図。
【図３８】他の実施の形態のＬＥＤ基板、連結キャッチ及び取り付けフレームの断面図。
【図３９】他の実施の形態のＬＥＤ基板、連結キャッチ及び取り付けフレームの断面図。
【図４０】他の実施の形態の機能部品と取り付けフレームの装着状態を説明する説明図。
【図４１】他の実施の形態のＬＥＤ基板、連結キャッチ及び取り付けフレームの断面図。
【符号の説明】
【０１０７】
４…取り付けフレーム、５…扉枠、１５…扉枠本体、１６…ＬＥＤ基板用フレーム、５
３，５５、Ｌ１〜ｌ３…ＬＥＤ基板。
【図１】
2010201191.tif 000003
【図２】
2010201191.tif 000004
【図３】
2010201191.tif 000005
【図４】
2010201191.tif 000006
【図５】
2010201191.tif 000007
【図６】
2010201191.tif 000008
【図７】
2010201191.tif 000009
【図８】
2010201191.tif 000010
【図９】
2010201191.tif 000011
【図１０】
2010201191.tif 000012
【図１１】
2010201191.tif 000013
【図１２】
2010201191.tif 000014
【図１３】
2010201191.tif 000015
【図１４】
2010201191.tif 000016
【図１５】
2010201191.tif 000017
【図１６】
2010201191.tif 000018
【図１７】
2010201191.tif 000019
【図１８】
2010201191.tif 000020
【図１９】
2010201191.tif 000021
【図２０】
2010201191.tif 000022
【図２１】
2010201191.tif 000023
【図２２】
2010201191.tif 000024
【図２３】
2010201191.tif 000025
【図２４】
2010201191.tif 000026
【図２５】
2010201191.tif 000027
【図２６】
2010201191.tif 000028
【図２７】
2010201191.tif 000029
【図２８】
2010201191.tif 000030
【図２９】
2010201191.tif 000031
【図３０】
2010201191.tif 000032
【図３１】
2010201191.tif 000033
【図３２】
2010201191.tif 000034
【図３３】
2010201191.tif 000035
【図３４】
2010201191.tif 000036
【図３５】
2010201191.tif 000037
【図３６】
2010201191.tif 000038
【図３７】
2010201191.tif 000039
【図３８】
2010201191.tif 000040
【図３９】
2010201191.tif 000041
【図４０】
2010201191.tif 000042
【図４１】
2010201191.tif 000043